(57)【特許請求の範囲】
【請求項１】
工作機械の主軸にシャンクを着脱自在に取り付け、該主軸の回転により該シャンクおよびホルダーに装着した刃具を回転駆動すると共に、該シャンクに対し該ホルダーおよび刃具を傾動させて加工を行う加工工具であって、
該シャンクの下端部外側にベアリングを介してケースが取り付けられ、該ケースには該主軸に装着された際、該工作機械の固定部に係合して該ケースを位置決めして静止させる位置決め係合部が設けられ、該シャンクの下端軸心部に設けた軸孔に吸収ロッドが軸方向に摺動可能に配設され、該吸収ロッドと該シャンク間には該吸収ロッドを軸方向に付勢する吸収ばねが配設され、該ケース内の下部には傾動ケースが軸線に対し傾動可能に配設され、該傾動ケース内にはホルダーがベアリングを介して回転自在に配設され、該ホルダー内には先端に工具用のチャック部を設けた摺動ホルダーが軸方向に摺動可能に配設され、該ホルダーと該摺動ホルダー間には該摺動ホルダーを軸方向に付勢するばね部材が配設され、前記吸収ロッドの下端部と該ホルダーの上端部は相互に自在継手により連結され、該自在継手の外周部の該ケース内に、多数の傾動支持ピンを下方に向けて且つばね部材により付勢して突出させてなる傾動支持ピン装置が配設され、該傾動支持ピン装置の傾動支持ピンの先端が該傾動ケースの上部に設けた受圧板に当接することを特徴とする加工工具。
【請求項２】
前記傾動支持ピン装置は、円環状に形成されたピンケース内に多数の傾動支持ピンがその先端を下方に突出させて円周上に配設されると共に、各傾動支持ピンがばね部材により下方に付勢されて構成され、該傾動支持ピン装置が回動自在のフリー状態で前記ケース内に配設されたことを特徴とする請求項１記載の加工工具。
【請求項３】
前記傾動支持ピン装置の上側に、ボールベアリングがフリー状態で回転自在に配設されていることを特徴とする請求項２記載の加工工具。
【請求項４】
前記ケース内の前記ボールベアリングの上側に高さ調整用の調整ナットが螺合され、調整ナットのねじ込みにより該ボールベアリングの上側空間の隙間幅を調整可能とした請求項３記載の加工工具。
【請求項５】
前記自在継手は、前記吸収ロッドの下部と連結された第１自在継手部と、前記ホルダーの上部と連結される第２自在継手部とを中間軸の上部と下部に設けて構成され、該第１自在継手部は該吸収ロッドに対し円周全方向に傾動可能で且つ軸方向に摺動可能に連結され、該第２自在継手部は該ホルダーに対し円周全方向に傾動可能で且つ軸方向に摺動可能に連結されていることを特徴とする請求項１記載の加工工具。
【請求項６】
前記自在継手の中間軸に円盤部が形成され、前記第１自在継手部と第２自在継手部には鋼球が嵌合する半球状の凹部が形成されると共に、前記吸収ロッドとホルダーの継手凹部内には該鋼球が嵌合する溝部が軸方向に形成されている請求項５記載の加工工具。
【請求項７】
前記傾動ケースは前記ケース内で球面滑り軸受を介して所定の角度範囲内で傾動可能に配設されていることを特徴とする請求項１記載の加工工具。
【請求項８】
前記ホルダーは、前記傾動ケース内で少なくとも２個のニードルベアリングを含む複数のベアリングを介して回転自在に配設されていることを特徴とする請求項１記載の加工工具。
【発明の詳細な説明】
【技術分野】
【０００１】
本発明は、マシニングセンター等の工作機械の主軸に着脱可能に取り付けられ、主軸により刃具を回転させて、ワークの面取り、バリ取り、ラッピングなどの加工を行う加工工具に関する。
【背景技術】
【０００２】
従来、マシニングセンター等の工作機械の主軸に着脱可能に取り付けられ、バリ取りなどの加工を行う加工工具として、下記の特許文献１に記載されるようなバリ取り装置が知られている。このバリ取り装置は、本体ユニットを工作機械の主軸に装着可能に形成され、本体ユニットの下部にエアーモータを斜め下方に傾斜した状態で取り付け、その駆動軸の先端にバリ取り工具を取り付けて構成され、エアーモータによってバリ取り工具を回転駆動して、ワークの加工面に工具を押し当て、ワークのバリ取りを行うものである。
【特許文献１】特開平８−５７７５８号公報
【発明の開示】
【発明が解決しようとする課題】
【０００３】
しかし、上記のバリ取り装置は、エアーモータによりバリ取り工具を回転駆動するため、エアーモータに供給する圧力空気の供給源を必要とする問題があり、さらに、本体ユニットに対しエアーモータが上下方向に傾斜して装着され、そのエアーモータの傾斜角度により、その回転軸に装着されたバリ取り工具の傾斜方向が決まるため、各種の方向を向くワークの加工面に対し、バリ取り工具の刃先の方向を、常に適正な方向とするように、本体ユニットの角度（向き）を制御する必要があり、そのための制御機構や制御プログラムが複雑化する問題があった。
【０００４】
また、エアーモータとその回転軸先端のバリ取り工具が予め傾斜して装着されるため、各種の傾斜角度を持ったワークの加工面に対し、工具を円滑に傾動制御することができない場合があり、加工面の角度によっては、ワークのエッジ部のバリ取りなどの加工を良好に且つ円滑に行うことが難しいという問題があった。
【０００５】
本発明は、上述の課題を解決するものであり、回転する刃具の傾動動作を常にスムーズに行って、ワークの各種加工面の加工を良好に行うことができる加工工具を提供することを目的とする。
【課題を解決するための手段】
【０００６】
上記目的を達成するために、本発明の加工工具は、工作機械の主軸にシャンクを着脱自在に取り付け、該主軸の回転により該シャンクおよびホルダーに装着した刃具を回転駆動すると共に、該シャンクに対し該ホルダーおよび刃具を傾動させて加工を行う加工工具であって、
該シャンクの下端部外側にベアリングを介してケースが取り付けられ、該ケースには該主軸に装着された際、該工作機械の固定部に係合して該ケースを位置決めして静止させる位置決め係合部が設けられ、該シャンクの下端軸心部に設けた軸孔に吸収ロッドが軸方向に摺動可能に配設され、該吸収ロッドと該シャンク間には該吸収ロッドを軸方向に付勢する吸収ばねが配設され、該ケース内の下部には傾動ケースが軸線に対し傾動可能に配設され、該傾動ケース内にはホルダーがベアリングを介して回転自在に配設され、該ホルダー内には先端に工具用のチャック部を設けた摺動ホルダーが軸方向に摺動可能に配設され、該ホルダーと該摺動ホルダー間には該摺動ホルダーを軸方向に付勢するばね部材が配設され、前記吸収ロッドの下端部と該ホルダーの上端部は相互に自在継手により連結され、該自在継手の外周部の該ケース内に、多数の傾動支持ピンを下方に向けて且つばね部材により付勢して突出させてなる傾動支持ピン装置が配設され、該傾動支持ピン装置の傾動支持ピンの先端が該傾動ケースの上部に設けた受圧板に当接することを特徴とする。
【０００７】
ここで、請求項２のように、上記傾動支持ピン装置は、円環状に形成されたピンケース内に多数の傾動支持ピンがその先端を下方に突出させて円周上に配設されると共に、各傾動支持ピンがばね部材により下方に付勢されて構成され、傾動支持ピン装置を回動自在のフリー状態でケース内に配設することが好ましい。
【０００８】
また、請求項３のように、上記傾動支持ピン装置の上側に、ボールベアリングをフリー状態で回転自在に配設することが好ましい。
【０００９】
また、請求項４のように、上記ケース内のボールベアリングの上側に高さ調整用の調整ナットを螺合し、この調整ナットのねじ込みによりボールベアリングの上側空間の隙間幅を調整可能とすることができる。
【００１０】
さらに、請求項５のように、上記自在継手は、吸収ロッドの下部と連結された第１自在継手部と、ホルダーの上部と連結される第２自在継手部とを中間軸の上部と下部に設けて構成され、第１自在継手部は吸収ロッドに対し円周全方向に傾動可能で且つ軸方向に摺動可能に連結され、第２自在継手部はホルダーに対し円周全方向に傾動可能で且つ軸方向に摺動可能に連結することが好ましい。
【００１１】
さらに、請求項６のように、上記自在継手の中間軸には円盤部が形成され、上記第１自在継手部と第２自在継手部には鋼球が嵌合する半球状の凹部が形成されると共に、吸収ロッドとホルダーの継手凹部内には鋼球が嵌合する溝部を軸方向に形成することができる。
【００１２】
さらに、請求項７のように、上記傾動ケースはケース内で球面滑り軸受を介して所定の角度範囲内で傾動可能に配設することができる。さらに、請求項８のように、上記ホルダーは、傾動ケース内で少なくとも２個のニードルベアリングを含む複数のベアリングを介して回転自在に配設することが好ましい。
【発明の効果】
【００１３】
上記構成の加工工具では、工作機械の主軸の回転により、シャンクと吸収ロッドが回転し、その吸収ロッドの回転が自在継手を介してホルダーに伝達され、ホルダーの先端に取り付けられた刃具が高速回転して、その刃具がワークに接触することにより、バリ取りなどの加工が行われる。
【００１４】
高速回転する刃具の先端側面が例えばワークのエッジ部に接触し、刃具が側方からの荷重を受けると、傾動ケースがその外側のケースに対し軸線上から傾動する。このとき、この傾動により傾斜した傾動ケース内のホルダーは、主軸の回転力をシャンク、吸収ロッド、及び自在継手を介して受け、自在継手が吸収ロッドに対しホルダーを傾斜させた状態で回転駆動し、ホルダーに設けられた摺動ホルダー先端の刃具が高速で回転駆動され、ワークのエッジ部などに生じたバリが除去される。このときの、刃具がワークの加工面を押圧する押圧力は、傾動支持ピン装置の多数の傾動支持ピンが傾動ケースの上部の受圧板を押す力によって生じ、高速回転する刃具のワーク加工面への押圧を安定して行って、バリ取りなどの加工を良好に行うことができる。
【００１５】
また、このようなホルダーの傾動時、自在継手による吸収ロッドとホルダーとの連結長さの微妙な変化や振動によってそこに軸方向の衝撃力が生じることがあるが、吸収ロッドに設けた吸収ばねと、ホルダー内に設けた摺動ホルダー用のばね部材によりそれが良好に吸収される。また、刃具がワークから受ける押上力を受ける場合があるが、このような刃具の押上力は摺動ホルダー用のばね部材により吸収され、高速回転する刃具を非常に安定して動作させることができる。
【００１６】
さらに、刃具がワークから離れて刃具の回転負荷が急激に減少し、自在継手およびホルダーが傾動状態から直線状態に戻るとき、自在継手の振動や傾動ケースの反動などにより、ホルダーや刃具が暴れる（ランダムに振られる）現象が生じやすい。しかし、本加工工具では、傾動支持ピン装置の多数の傾動支持ピンがばね部材を介してその先端を傾動ケース上部の受圧板を押えるように作用し、またこの傾動支持ピン装置が回動自在で且つフリー状態でケース内に配設され、さらに傾動支持ピン装置の上側にボールベアリングをフリー状態で回転自在に配設しているため、刃具の回転負荷が変化しホルダーが直線姿勢に戻る際、傾動支持ピン装置の円周方向への動きをスムーズにして、ホルダーや刃具の暴れを防止することができる。
【発明を実施するための最良の形態】
【００１７】
以下、本発明の一実施形態を図面に基づいて説明する。図１は第１実施形態の加工工具の正面図を示し、図２はその縦断面図を示している。この加工工具１は、概略的には、マシニングセンターなどの工作機械の主軸に、そのシャンク２を嵌着して装着され、シャンク２の下部に装着された円筒形のケース３内に自在継手ロッド５と傾動ケース４が配設され、傾動ケース４内に回転可能に配設された刃具用のホルダー６が自在継手ロッド５を介してシャンク２に連結された構造を持つ。そして、ケース３は、位置決め係合部７を介して工作機械の一部の固定部分に係止されて静止し、傾動ケース４内で回転可能に保持されたホルダー６が主軸により回転駆動され、ホルダー６の先端に装着した刃具９が回転してバリ取り加工などを行うように構成される。
【００１８】
ケース３は下部を絞った略円筒形状に形成され、ケース３の上部は、シャンク２の下部に外側から第１ベアリング２５を介して嵌入され、静止するケース３に対しシャンク２は回転自在に装着される。シャンク２の軸心位置の下部に、下側から軸孔２１が穿設され、その軸孔２１内に下側から吸収ロッド２２が所定の範囲で上下動可能に嵌入される。吸収ロッド２２は下部にフランジ２７を一体に形成し、さらに、下部の軸心位置に継手凹部２４を下方に開口して設け形成されている。継手凹部２４の内周面には、所定幅で略半円形の溝が所定間隔で軸方向に形成され、後述の自在継手ロッド５の第１自在継手部５１が継手凹部２４に係合した状態で、回転を伝達し且つ第１自在継手部５１が全方向に傾動可能に嵌合される。また、第１自在継手部５１には半球状の突部が突設されている。
【００１９】
吸収ロッド２２はシャンク２に対し上下動可能に且つ回転を伝達可能に連結するために、吸収ロッド２２のフランジ２７の一部に、回り止めピン２８がシャンク２との間に嵌着されている。また、吸収ロッド２２の上部に、軸方向の軸孔２１が穿設され、その軸孔２１内に吸収ばね（コイルばね）２３が配設される。この吸収ばね２３は、自在継手ロッド５の連結長さが変化したとき、その連結長さの変化を吸収するように動作し、吸収ロッド２２が上方に押し上げられる力を受けた際、圧縮変形してその力を吸収し、吸収ロッド２２を下方に付勢するように配設されている。
【００２０】
すなわち、吸収ロッド２２の下に連結される自在継手ロッド５及びホルダー６が軸線に対し傾斜したとき、その傾斜角度に応じてそれらの軸方向の長さが変化するが、その自在継手ロッド５とホルダー６の傾動により変化する軸方向の長さを吸収するために、吸収ロッド２２がシャンク２内で摺動可能に嵌入され、且つ吸収ばね２３が配設されている。
【００２１】
さらに、自在継手ロッド５の周囲に、傾動支持ピン装置３０が配設される。この傾動支持ピン装置３０は、ピンケース３１内に多数の傾動支持ピン３２を下側に突出させ且つばね部材３３により付勢して配設して構成される。この傾動支持ピン装置３０のピンケース３１は、ケース３内にフリー状態で配設された第２ベアリング２６の下側に配設されている。つまり、この傾動支持ピン装置３０のピンケース３１には回転駆動力は印加されないが、自在に回転可能なようにフリーな状態の第２ベアリング２６を介してケース３の内側に装着されている。
【００２２】
傾動ケース４およびホルダー６がケース３内で傾動したとき、或は刃具９の回転負荷が急激に減少し、傾動状態から直線状態に戻るときなどに、傾動支持ピン装置３０に回動力が作用したとき、ピンケース３１が第２ベアリング２６を介して任意の方向に回動し、これによって、傾動ケース４およびホルダー６の直線戻り動作がスムーズに行われるようにしている。第２ベアリング２６は、環状で且つ板状の２枚のボールレースを上下に重ねて構成され、ボールレースの内側に形成された環状溝に、多数の金属球が収容されている。
【００２３】
さらに、その第２ベアリング２６を介してケース３の内側に装着された傾斜支持ピン装置３０のピンケース３１は、図３に示すように、略円環状に形成され、ピンケース３１内には、例えば１２本の傾動支持ピン３２が３０度の間隔で円周上に、先端を下側に突出した状態で配設されている。これらの傾動支持ピン３２は、その下側に配設される傾動ケース４の受圧板４１の円周上を、上から均一に押えて支持するために配設される。各傾動支持ピン３２には、ばね部材（コイルばね）３３が傾動支持ピン３２を下方に付勢するように装着され、各傾動支持ピン３２は、ピンケース３１内に配設した各々のばね部材３３により、下方に付勢され、その先端を下方に突出させている。
【００２４】
ピンケース３１の下側に傾動ケース４の受圧板４１が配設され、傾動ケース４と受圧板４１はケース３内で軸心に沿った垂直姿勢から全方向に傾動可能に配設されている。その傾動ケース４と受圧板４１の全方向の傾動時に、１２本の傾動支持ピン３２とばね部材３３は、傾動ケース４と受圧板４１を垂直姿勢に復帰させる方向に、均一に付勢するように作用する。つまり、ホルダー６の先端の刃具９がワークの加工面に接触したとき、刃具９が傾動方向に押されて傾動ケース４、ホルダー６、刃具９が傾動するが、このとき、刃具９が加工面に与える押圧力が、各傾動支持ピン３２のばね部材３３によって全円周方向に均一に生じ、且つその押圧力がゼロになったとき、その傾きがスムーズに直線状態に戻ることになる。このように、傾動支持ピン３２のばね部材３３のばね力が、刃具９の加工面への押圧力として作用するため、このばね部材３３のばね力は、ワークＷがスチールのように硬質の場合は強く、アルミニウムのような軟質の場合は弱く設定される。
【００２５】
傾動ケース４は上部にフランジを有した略円筒形に形成され、ケース３の下部内の軸心位置に、球面滑り軸受け３４，４３を介して所定の角度で傾動可能に配設されている。ケース３の内側に球面滑り軸受け３４が円周状に設けられ、その球面滑り軸受け３４の内側に、傾動ケース４の外周部に設けた球面滑り軸受け４３が回動可能にはめ込まれている。これにより、傾動ケース４は球面滑り軸受け３４，４３の中心軸（軸心上に位置する）を中心に、所定の角度範囲（例えば約５°）で傾動可能である。
【００２６】
傾動ケース４の上部にフランジが設けられ、図６に示すように、そのフランジには溝４７が円周上の６０度の間隔で６個形成されている。ケース３の内側には、その溝４７に対応した円周位置に、図４、図６に示すように、６本のガイドピン３５が立設され、それらのガイドピン３５は各溝４７に係合し、傾動ケース４の傾動は、ガイドピン３５によりガイドされる。
【００２７】
これらのガイドピン３５と溝４７との係合により、傾動ケース４の傾動はガイドされるが、それらの係合には僅かではあるが隙間があるため、高速回転する自在継手ロッド５の連結角度が変化し或はその回転負荷が変化した場合には、傾動ケース４がその際の反動や振動を受けて円周方向などに僅かにがたつくことがある。このとき、その傾動ケース４の動きは傾動支持ピン装置３０に伝わるが、上記のように傾動支持ピン装置３０とその上の第２ベアリング２６が、フリー状態で配設されているので、その傾動ケース４の円周方向のがたつきなどに起因したホルダー６の傾動時或は復帰時の振動や暴れは、第２ベアリング２６などの作用により、効果的に防止される。
【００２８】
傾動ケース４の上部のフランジ上に受圧板４１が取り付けられ、上記ピンケース３１の１２本の傾動支持ピン３２は、図６に示すように傾動ケース４の傾動に関わらず常に全てのピンが受圧板４１に当接している。さらに、傾動ケース４の下部には、ダストカバー４４が取り付けられ、その傾動ケース内に挿入されるホルダー６との隙間をカバーしている。
【００２９】
円筒状の傾動ケース４内には、ホルダー６が軸心位置に第三ベアリング４２と第四ベアリング４５を介して回転自在に配設される。傾動ケース４内の上部に第三ベアリング４２のアウターレースが固定され、第三ベアリング４２のインナーレースはホルダー６の上部大径部に固定される。第四ベアリング４５は２個のニードルベアリングからなり、２個のニードルベアリングの間にカラー４６が介装されている。第四ベアリング４５としては、ニードルベアリングの他に滑り軸受などを使用することもできる。
【００３０】
ホルダー６は、円筒形のホルダー本体６１の内側に、摺動ホルダー６２を軸方向に所定の範囲で摺動可能に装着されている。ホルダー本体６１の上部の大径部には、継手凹部６３が上方に開口して形成され、その継手凹部６３の内周面には、所定幅で略半円形の溝が所定間隔で形成されている。この継手凹部６３内に、自在継手ロッド５の下部の第２自在継手部５２が嵌入され、第２自在継手部５２は継手凹部６３内に係合し、第２自在継手部５２からホルダー本体６１に回転を伝達すると共に、第２自在継手部５２とホルダー本体６１の連結状態は、全方向について所定の角度範囲で傾動可能とされる。
【００３１】
自在継手ロッド５は、中間軸の上部に第１自在継手部５１を形成すると共に、中間軸の下部に第２自在継手部５２を設けて形成され、ピンケース３１の中央空間を貫通し、その上部の第１自在継手部５１を吸収ロッド２２の継手凹部２４内に嵌入し、その下部の第２自在継手部５２をホルダー本体６１の上部の継手凹部６３内に嵌入して取り付けられている。第１自在継手部５１は自在継手ロッド５の上端半球部の外周に、球状先端を有したピンを９０°の間隔でその球状先端を突き出して嵌着して形成され、第２自在継手部５２も同様に、自在継手ロッド５の下端半球部の外周に、球状先端を有したピンを９０°の間隔でその球状先端を突き出すように嵌着して形成されている。また、自在継手ロッド５は、第１、第２自在継手部５１，５２の上端と下端に突き出して嵌着される球状先端の位置を、相互に４５度ずらすことにより、よりスムーズな傾動が可能となる。
【００３２】
ホルダー６のホルダー本体６１内には、摺動ホルダー６２が軸方向に摺動可能に配設されているが、その摺動範囲を決めるために軸心位置にボルト状の支持ロッド６４が貫通して取り付けられ、その支持ロッド６４の外周部にばね部材（コイルばね）６７が、摺動ホルダー６２を下方に付勢して嵌装されている。このばね部材６７は、刃具９がワークから衝撃力などを受けた際、摺動ホルダー６２が上方に摺動する力を吸収し、その衝撃力を吸収するものである。
【００３３】
また、図６に示すように、摺動ホルダー６２の外周部に係合溝６５が軸方向に形成され、その係合溝６５に係合鋼球６６が係合すると共にホルダー本体６１側の係合孔にも係合鋼球６６が係合し、摺動ホルダー６２の軸方向の摺動を許容しつつ、ホルダー本体６１と摺動ホルダー６２を一体に回転駆動可能としている。摺動ホルダー６２の先端には、バリ取り用砥石などの刃具９を装着するためのチャック部６９が取り付けられる。
【００３４】
上記構成の加工工具１は、そのホルダー６の先端のチャック部６９に例えばバリ取り用砥石などの刃具９を取り付け、図７に示すように、マシニングセンターなどの工作機械の主軸１０にそのシャンク２を嵌入し、その位置決め係合部７を工作機械側の位置決めブロックに嵌合して、所定角度に位置決めして装着される。
【００３５】
工作機械の主軸１０が回転すると、シャンク２が回転し、そのシャンク２の回転により、吸収ロッド２２、自在継手ロッド５、及びホルダー６が回転する。外側に配設されたケース３と傾動ケース４は、位置決め係合部７と工作機械固定部１１との係合により静止状態を保持し、ケース３と傾動ケース４が静止した状態で、ホルダー６とそこに把持された刃具９が、例えば約10000ｒｐｍという非常に高速回転で駆動される。
【００３６】
バリ取りなどの加工を行うワークＷは、図７のように、工作機械の移動テーブルＴの上に固定され、工作機械は、主軸１０を所定位置まで下降させ、刃具９をワークＷのエッジ部に接触させながら、移動テーブルＴを所定のプログラムに従って制御座標上を移動させる。これにより、刃具９の接触位置をワークＷのエッジ部に沿って移動させ、高速回転する刃具９によりワークＷのエッジ部のバリが削り取られ、バリ取りが行われる。
【００３７】
高速回転する刃具９の先端側面がワークＷのエッジ部に接触し、刃具９が側方からの荷重を受けると、図５、図６に示すように、傾動ケース４がその外側のケース３に対しその荷重に応じた角度、例えば最大傾斜角度で５度程度の角度範囲で、主軸の軸心から傾動する。このとき、傾動ケース４はケース３に対し球面滑り軸受け４３，３４を介してその球面の中心点の周りで回動するが、この回動により傾斜した傾動ケース４内のホルダー６は、主軸１０の回転力をシャンク２、吸収ロッド２２、及び自在継手ロッド５を介して受け、回転駆動される。傾動ケース４と共にホルダー６が図５、図６のように傾斜したとき、ホルダー６はその上端の自在継手ロッド５との連結部より下側の球面滑り軸受け３４，４３の中心点を軸に傾動し、自在継手ロッド５はその中間点近傍を軸に傾動する。
【００３８】
このため、自在継手ロッド５とホルダー６が傾動する際には、吸収ロッド２２と自在継手ロッド５の連結長さ及び自在継手ロッド５とホルダー６の連結長さの微妙な変化により軸方向の振動などが発生する。このときの吸収ロッド２２や自在継手ロッド５の軸方向の振動や衝撃力は、吸収ロッド２２内の吸収ばね２３により良好に吸収される。このように、ホルダー６が傾動する際の吸収ロッド２２や自在継手ロッド５の軸方向の振動は、吸収ばね２３により吸収されるため、刃具９がワークＷに接触してホルダー６が傾動する際、刃具９の高速回転を安定して保持しながら、スムーズにホルダー６を傾動させることができる。
【００３９】
また、高速回転する刃具９の先端側部にワークＷの縁部に接触したとき、刃具９がワークから受ける軸方向の押上力などは、摺動ホルダー６２のばね部材６７により吸収され、安定して加工を行うことができる。さらに、図５のように、刃具９がホルダー６と共に傾動し、刃具９の先端側部が適度な接触荷重をワークＷのバリの部分に付与しながら、バリを除去するが、このワークＷを刃具９の先端側部が押圧する際の押圧荷重は、ホルダー６の上端の受圧板４１に印加される、傾動支持ピン装置３０内のばね部材３３を有する多数の傾動支持ピン３２によって付与される。これらの傾動支持ピン３２は円周上に多数本が配置されるため、何れの方向に刃具９とホルダー６が傾動した際にも、同様な荷重を安定して付与することができ、ワークＷのバリ取りを良好に行うことができる。
【００４０】
このように、傾動支持ピン３２のばね部材３３のばね力が、刃具９のワークＷに対する押圧荷重として作用するが、このワークＷの押圧荷重を作用させる力は、上記のようにホルダー６や自在継手ロッド５の軸方向の力を吸収する吸収ばね２３やばね部材６７とは別個のばねで、円周上に配置された多数のばね部材３３によって付与されるため、刃具９がワークＷを押圧する力を安定して生じさせることができる。
【００４１】
さらに、刃具９がワークＷから離れた際には、刃具９とホルダー６の傾動状態を直線姿勢までスムーズに戻すことができる。特に、ホルダー６がその回転負荷を急激に低下させ且つその傾動荷重を外されて直線姿勢に戻る際、高速回転するホルダー６の戻り動作が不安定となってホルダー６が暴れやすい、つまりホルダー６がランダムに振れるように動作して直線姿勢に戻りにくい状態が発生しやすい。
【００４２】
しかし、本加工工具では、上記のように、吸収ロッド２２や自在継手ロッド５に生じる軸方向の衝撃力や振動は吸収ばね２３により吸収され、刃具９がワークから受ける荷重は、ホルダー本体６１内のばね部材６７により吸収され、さらに、ホルダー６が傾動状態から直線状態に復帰する力は、独立した傾動支持ピン装置３０内のばね部材３３によって吸収されるため、刃具９がワークＷから離れる際、ホルダー６や刃具９が暴れることなく極めてスムーズに直線状に戻ることができる。また、傾動支持ピン装置３０がフリー状態で配設され、且つフリー状態の第２ベアリング２６を介して装着されているため、傾動時に傾動支持ピン装置３０が円周方向に動いて傾動ケース４の反動などを吸収し、ホルダー６や刃具９をスムーズに直線状態に戻すことができる。
【００４３】
なお、上記実施形態では、吸収ロッド２２とホルダー６の連結に自在継手ロッド５を使用したが、自在継手ロッド５に代えて図８に示すようなベローズ型自在継手８を使用することもできる。このベローズ型自在継手８は、蛇腹形のベローズの上部と下部に設けた連結軸５６，５８を介して、吸収ロッド２２とホルダー本体６１間に連結される。
【００４４】
すなわち、吸収ロッド２２の下部中央に設けられた継手凹部内に取付部材５５が固定され、その取付部材５５とベローズ型自在継手８の上部とが連結軸５６により連結される。また、ホルダー本体６１の上部中央に設けた継手凹部内に取付部材５７が取り付けられ、その取付部材５７とベローズ型自在継手８の下部とが連結軸５８により連結される。
【００４５】
このようなベローズ型自在継手８を用いて吸収ロッド２２とホルダー６を連結した場合でも、上記と同様に、加工時には、刃具９がワークＷから受ける側方からの押圧力に応じて、ホルダー６と刃具９を良好に傾動させることができる。
【００４６】
図９は第２実施形態の加工工具の断面図を示している。この例では、第２ベアリング８６およびピンケース３１の高さ位置を調整するための高さ調整ナット８７を設け、吸収ロッドの回止めとなる上記回止めピン２８を係合溝８８と係合球（金属球）８９に変更し、自在継手ロッド９０の中間部に安定化のために円盤部９３を設けている。
【００４７】
また、第１ベアリング８５にはスラスト荷重に対する耐荷重性を有したアンギュラベアリングが使用され、第１ベアリング８５を組み付ける際、押えねじを用いて、予圧をかけて取り付けられる。上記第１実施形態と同様な部分については、上記と同じ符号を付してその説明を省略する。
【００４８】
すなわち、図９に示すように、シャンク２の下端部とケース３の上部間には第１ベアリング８５としてアンギュラベアリングが配設され、この第１ベアリング８５は押えねじ９４により予圧を印加した状態で取り付けられる。さらに、シャンク２の軸心位置に穿設した軸孔２１内の側壁とそこに嵌挿される吸収ロッド８２の外周部に係合溝８８が軸に沿って形成され、その係合溝８８内に係合球８９が摺動可能に嵌合され、この係合球８９によって吸収ロッド８２がシャンク２に対し軸方向にのみ摺動可能に装着される。
【００４９】
また、第１ベアリング８５の下方に第２ベアリング８６がフリー状態で収容されるが、この第２ベアリング８６の高さ位置を調節するために、ケース３の内側にリング状の高さ調整ナット８７がねじ込み幅を調整可能にねじ込まれ、第２ベアリング８６が収容される空間の高さを調整可能としている。さらに、自在継手ロッド９０の中間部には、回転の安定化のために、円盤部９３を設けている。この円盤部９３により、自在継手ロッド９０は安定して高速回転することができる。
【００５０】
この加工工具は、上記と同様に、工作機械の主軸の回転により、シャンク２が回転し、そのシャンク２の回転により、吸収ロッド８２、自在継手ロッド９０、及びホルダー６が回転する。自在継手ロッド９０などの外側に配設されたケース３と傾動ケース４は、位置決め係合部７と工作機械固定部１１との係合により静止状態を保持し、ケース３と傾動ケース４が静止した状態で、ホルダー６とそこに把持された刃具９が、高速回転で駆動される。
【００５１】
高速回転する刃具９の先端側面がワークＷのエッジ部に接触し、刃具９が側方からの荷重を受けると、上記と同様に、傾動ケース４がその外側のケース３に対し例えば最大傾斜角度で５度程度、主軸の軸心から傾動する。このとき、傾動ケース４はケース３に対し球面滑り軸受け４３，３４を介してその球面の中心点の周りで回動するが、この回動により傾斜した傾動ケース４内のホルダー６は、主軸の回転力をシャンク２、吸収ロッド８２、及び自在継手ロッド９０を介して受け、回転駆動される。そして、傾動ケース４と共にホルダー６が傾斜したとき、ホルダー６はその上端の自在継手ロッド９０との連結部より下側の球面滑り軸受け３４，４３の中心点を軸に傾動し、自在継手ロッド９０はその上端部近傍を軸に傾動する。
【００５２】
このため、自在継手ロッド５とホルダー６が傾動する際には、吸収ロッド８２と自在継手ロッド９０の連結長さ及び自在継手ロッド９０とホルダー６の連結長さが微妙に変化し、軸方向の振動や衝撃力などが生じやすいが、軸方向の振動や衝撃力は、吸収ロッド８２内の吸収ばね８３により吸収され、また、刃具９がワークから受ける押上力などは、ホルダー本体６１内のばね部材６７により吸収される。
【００５３】
さらに、ホルダー６と刃具９が傾動してバリ取りを行うとき、ワークＷが刃具９から受ける荷重は、ピンケース３１内の円周上に配置された１２本の傾動支持ピン３２のばね部材３３によって付与され、刃具９の全ての方向の傾動に対し、これらのばね部材３３により安定した加工荷重をワークＷのあらゆる角度面に印加して、バリ取りなどの加工を極めてスムーズに行うことができる。
【００５４】
また、このような刃具９がワークＷを押圧する力は、上記のようにホルダー６や自在継手ロッド９０の軸方向の衝撃力などを吸収する吸収ばね８３やばね部材６７とは別の、傾動支持ピン装置３０の円周上に配置された多数のばね部材３３によって付与され、さらに、傾動支持ピン装置３０の直上に位置する第２ベアリング８６は、高さを調整されたフリーの状態で配設されているから、高速回転する自在継手ロッド９０の影響によりピンケース３１が円周方向の力を受けた場合、フリーの第２ベアリング８６がピンケース３１の自在な回転を許容し、刃具９がワークＷから離れる際、異常な動きをすることなくホルダー６と刃具９を傾動状態から直線状態にスムーズに戻すことができる。
【００５５】
なお、上記実施形態では、吸収ロッド８２とホルダー６の連結に自在継手ロッド９０を使用したが、自在継手ロッド９０に代えて図１２に示すような２軸の軸継手を上部と下部に使用した構造の自在継手９６を使用することもできる。この自在継手９６は、その上部に２軸の軸継手部９７が設けられ、中間軸を介した下部に同様の２軸の軸継手部９８が設けられる。
【００５６】
そして、吸収ロッド８２の下部中央に設けられた継手凹部内に設けた取付部材にその上部の軸継手部９７が連結され、ホルダー本体６１の上部中央に設けた取付部材にその下部の軸継手部９８が連結される。このような自在継手９６を用いて吸収ロッド８２とホルダー６を連結した場合でも、上記と同様に、加工時には、刃具９がワークＷから受ける側方からの押圧力に応じて、ホルダー６と刃具９を安定して傾動させることができる。
【００５７】
なお、上記実施形態では、刃具９として、バリ取り用の工具を使用したが、ラッピング用の砥石または研削用の工具を使用して、ラッピング加工或は面取りなどの研削加工を行うこともできる。
【００５８】
以上説明したように、本発明の加工工具によれば、ホルダーや自在継手の生じる軸方向の衝撃力は吸収ロッドに設けた吸収ばねにより吸収し、刃具がワークから受ける押上力などは摺動ホルダーに設けたばね部材により吸収し、さらに、刃具がワークから傾動力を受けてホルダーが傾動した際、その反力は傾斜支持ピン装置の円周上に配置した多数の傾動支持ピンが傾動ケースの上部の受圧板を押す力によって生じるようにし、各々の動きを別個のばね部材により吸収し或は荷重をかける構造としているから、刃具などの傾動時或は直線状態への復帰時に暴れを生じさせず、高速回転する刃具のワーク加工面への押圧をスムーズに安定して行って、バリ取りなどの加工を良好に行うことができる。
【図面の簡単な説明】
【００５９】
【図１】本発明の第１実施形態を示す加工工具の正面図である。
【図２】同加工工具の縦断面図である。
【図３】図２のIII-III断面図である。
【図４】図２のIV-IV断面図である。
【図５】ホルダー６が傾動した状態の縦断面図である。
【図６】ホルダー６が傾動した状態の要部拡大断面図である。
【図７】加工工具の使用状態を示す正面図である。
【図８】他の実施形態の加工工具の縦断面図である。
【図９】第２実施形態の加工工具の縦断面図である。
【図１０】図９のX-X断面図である。
【図１１】図９のXI-XI断面図である。
【図１２】他の実施形態の加工工具の縦断面図である。
【符号の説明】
【００６０】
１-加工工具
２-シャンク
３-ケース
４-傾動ケース
５-自在継手ロッド
６-ホルダー
９-刃具
１０-主軸
２２-吸収ロッド
２３-吸収ばね
２４-継手凹部
２５-第１ベアリング
２６-第２ベアリング
３０-傾動支持ピン装置
３１-ピンケース
３２-傾動支持ピン
３３-ばね部材
４１-受圧板
４２-第３ベアリング
４５-第４ベアリング
５１−第１自在継手部
５２−第２自在継手部
６１−ホルダー本体
６２-摺動ホルダー
【図１】
0004665440.tif 000002
【図２】
0004665440.tif 000003
【図３】
0004665440.tif 000004
【図４】
0004665440.tif 000005
【図５】
0004665440.tif 000006
【図６】
0004665440.tif 000007
【図７】
0004665440.tif 000008
【図８】
0004665440.tif 000009
【図９】
0004665440.tif 000010
【図１０】
0004665440.tif 000011
【図１１】
0004665440.tif 000012
【図１２】
0004665440.tif 000013